(57)【要約】【課題】取付位置を選ばず、安全な携帯用警報装置を提供する。【解決手段】警報装置１０は、警報機本体２０と取付部３０とを備えている。取付部３０のベルト３１は、柔軟な材料で形成されている。そのため、警報装置１０は、例えば手首やランドセルの肩ひもなど任意の位置に容易に取り付けることができる。また、ベルト３１は、保持部２５に移動可能に保持されているため、警報機本体２０と相対移動可能である。したがって、ベルト３１を対象物に取り付けた後、警報機本体２０を容易に移動させることができる。これにより、警報装置１０は、任意の位置に容易に設置することができる。したがって、警報装置１０を鳴動させるような緊急時に、使用者は手元にあるキー２３を容易に引き抜くことができ、確実に大音量の警報音を発生させることができる。【選択図】図１
0003118384.tif 000002
【実用新案登録請求の範囲】
【請求項１】
音を発生する警報機本体と、
前記警報機本体に取り付けられ、帯状のベルトおよび前記ベルトの両端部同士を環状に接続する接続手段を有する取付部と、
を備える携帯用警報装置。
【請求項２】
前記取付部は、前記警報機本体に対し相対移動可能である請求項１記載の携帯用警報装置。
【請求項３】
前記接続手段は、面ファスナーを有する請求項１または２記載の携帯用警報装置。
【請求項４】
前記警報機本体は、内部の音発生部から外部へ音を放出する放出部を有し、
前記取付部は、前記警報機本体の前記放出部とは反対側に取り付けられている請求項１、２または３記載の携帯用警報装置。
【考案の詳細な説明】
【技術分野】
【０００１】
本考案は、携帯用の警報装置に関する。
【背景技術】
【０００２】
近年、例えば小学生などの児童の安全確保のため、これら児童に携帯用警報装置を所持させることが多くなっている。このような携帯警報装置は、音を発生する警報機本体を備えている。警報機本体は、例えばスイッチをオンすることにより大音量の電子音を発生する。スイッチは、警報機本体に差し込まれているキーを引き抜くことにより、オンになる。
【考案の開示】
【考案が解決しようとする課題】
【０００３】
ところで、上記のような携帯用警報装置は、児童の携帯に利便を図るため、警報機本体を例えばランドセルに設置するためのホルダを備えている。このホルダは、金属製のキーホルダなどである。そして、携帯用警報装置は、このホルダを用いてランドセルの側面に取り付けられることが多い。
【０００４】
しかしながら、金属製のキーホルダを用いて警報機本体をランドセルに設置する場合、金属製のキーホルダにより児童がけがをするおそれがある。児童は、思いがけない動作を起こすことがあるため、硬い金属製のキーホルダを用いると、携帯用警報装置を使用している本人またはその周囲にいる他人などがけがを負うことがある。また、金属製のキーホルダを用いる場合、ランドセルの側面に取り付けることが主である。そのため、実際に警報機本体の作動をさせるとき、使用者の手が警報機本体のスイッチに届かず、警報音を鳴動させることができない場合がある。
【０００５】
そこで、本考案の目的は、取付位置を選ばず、安全な携帯用警報装置を提供することにある。
【課題を解決するための手段】
【０００６】
請求項１記載の携帯用警報装置では、音を発生する警報機本体と、前記警報機本体に取り付けられ、帯状のベルトおよび前記ベルトの両端部同士を環状に接続する接続手段を有する取付部と、を備える。
取付部は、帯状のベルトを有しており、この両端部同士は接続手段により環状に接続される。そのため、環状の取付部の内部には、例えばランドセルの肩ベルト、あるいは児童の腕を通すことができる。したがって、取付位置を選ばず、いつでも警報機本体を鳴動させることができる。また、帯状のベルトを用いることにより、使用者および使用者の周囲の者がけがをするおそれはない。したがって、安全性を高めることができる。
【０００７】
請求項２記載の携帯用警報装置では、前記取付部は、前記警報機本体に対し相対移動可能である。そのため、取付部を所望の位置に固定した後、警報機本体を所定の位置に移動させることができる。これにより、取付部の接続手段が接続する位置に関わらず、警報機本体を常に手の届く位置に移動させることができる。
【０００８】
請求項３記載の携帯用警報装置では、前記接続手段は面ファスナーを有する。そのため、簡単な構造で取付部の両端部同士を環状に接続することができる。したがって、児童のように低年齢の使用者であっても、取付部の接続を容易にすることができる。
請求項４記載の携帯用警報装置では、前記警報機本体は、内部の音発生部から外部へ音を放出する放出部を有し、前記取付部は、前記警報機本体の前記放出部とは反対側に取り付けられている。そのため、警報機本体の放出部が取付部によって塞がれることはない。これにより、放出部から放出される音が取付部によって遮られ、音量の低下を招かない。したがって、確実に大音量の警報音を発生させることができる。
【考案を実施するための最良の形態】
【０００９】
以下、本考案の一実施形態による携帯用警報装置を図面に基づいて説明する。
本考案の一実施形態による携帯用警報装置（以下、「警報装置」）１０は、図１から図３に示すように警報機本体２０と取付部３０とを備えている。警報機本体２０は、略卵型のケーシング２１を有している。ケーシング２１は、例えば樹脂などにより形成されている。ケーシング２１の形状および材質は任意に選択可能である。ケーシング２１は、図２に示すように内部に音発生部２２を収容している。音発生部２２は、例えば電子ブザーを含む電子回路であり、図示しない電池によって作動する。音発生部２２には、図１および図３に示すキー２３が挿入されている。キー２３を引き抜くことにより、音発生部２２の電子回路の電源がオンになり、音発生部２２から警報音が発生する。ケーシング２１には、図１に示すように放出部２４が設置されている。放出部２４は、ケーシング２１を貫く穴である。音発生部２２から発生した音は、ケーシング２１の放出部２４を経由して外部に放出される。これにより、音発生部２２で発生した大音量の警報音は、ケーシング２１の外部に放出される。
【００１０】
取付部３０は、ベルト３１を有している。ベルト３１は、例えば布などの柔軟な織物、あるいは樹脂製により帯状に形成されている。ベルト３１は、ケーシング２１に取り付けられている。ケーシング２１は、図２および図３に示すように放出部２４とは反対側の端部に保持部２５を有している。保持部２５は、取付部３０のベルト３１を移動可能に保持している。すなわち、ベルト３１は、保持部２５の内側に挿入されており、警報機本体２０に対し自由に相対移動可能である。
【００１１】
ベルト３１は、図２に示すように両端部を接続することにより環状に形成される。ベルト３１は、各端部にそれぞれ接続手段としての面ファスナー３２を有している。これにより、ベルト３１は、内径を自由に調節しながら環状に接続することができる。なお、ベルト３１の接続手段は、面ファスナー３２に限らず、例えばスナップフィットなどによる嵌合などを適用することができる。
【００１２】
ベルト３１は、図２に示すようにケーシング２１の放出部２４とは反対側にある保持部２５に保持されている。そのため、放出部２４はベルト３１によって塞がれることがない。これにより、放出部２４から放出される音がベルト３１によって遮られることがなく、ベルト３１が警報音の放出を妨げることはない。
【００１３】
ベルト３１は、柔軟な材料で形成されている。そのため、警報装置１０は、例えば手首やランドセルの肩ひもなど任意の位置に容易に取り付けることができる。また、ベルト３１は、保持部２５に移動可能に保持されているため、警報機本体２０と相対移動可能である。したがって、ベルト３１を対象物に取り付けた後、警報機本体２０を容易に移動させることができる。これにより、警報装置１０は、任意の位置に容易に設置することができる。したがって、警報装置１０を鳴動させるような緊急時に、使用者は手元にあるキー２３を容易に引き抜くことができ、確実に大音量の警報音を発生させることができる。
【００１４】
また、ベルト３１は、柔軟な材料で形成されているため、警報装置１０を使用する使用者、あるいは使用者の近傍にいる者を傷つけることがなく、けがを未然に防止することができ、安全性を高めることができる。
さらに、ベルト３１は、面ファスナー３２により環状に接続される。そのため、警報装置１０を取り付ける対象物の大きさに関わらず、警報装置１０を容易に取り付けることができる。また、面ファスナー３２を用いることにより、例えば幼児や低学年の児童などであっても、警報装置１０を所定の位置に容易に取り付けることができる。
【００１５】
なお、上記の実施形態では、キー２３を引き抜くことにより警報音を発生させる警報装置１０について説明したが、例えば物理的なスイッチや衝撃などによって警報音を発生させる警報装置に本考案を適用することもできる。
以上説明した本考案は、上記実施形態に限定されるものではなく、その要旨を逸脱しない範囲で種々の実施形態に適用可能である。
【図面の簡単な説明】
【００１６】
【図１】本考案の一実施形態による警報装置を示す概略斜視図。
【図２】本考案の一実施形態による警報装置を正面から見た概略図。
【図３】本考案の一実施形態による警報装置を下方から見た概略図。
【符号の説明】
【００１７】
１０  警報装置（携帯用警報装置）、２０  警報機本体、２１  ケーシング、２２  音発生部、２３  キー、２４  放出部、２５  保持部、３０  取付部、３１  ベルト、３２  面ファスナー（接続手段）
【図１】
0003118384.tif 000003
【図２】
0003118384.tif 000004
【図３】
0003118384.tif 000005